(57)【要約】【課題】コンパクト化を図ることができる電気光学装置、配線基板及び表示モジュール及び電子機器を提供する。【解決手段】ＴＦＴ基板２１の一側の辺には、各データ線の外部接続端子を形成し、他側の辺には、制御用及び電源用外部接続端子を形成した。フレキシブル基板１３は、前記外部接続端子が形成される第１端子形成部２１ａに対応する第３端子形成部３３を形成するとともに、延長部３２を形成しその延長部３２が有機ＥＬディスプレイ１２の裏面側から回り込みその延長部３２の先端部に形成した第４端子形成部３４を前記制御用外部接続端子及び電源用外部接続端子を形成した第２端子形成部２１ｂに対応させる。第１端子形成部２１ａの外部接続端子と第３端子形成部３３の接続端子を接合させるとともに、第２端子形成部２１ｂの外部接続端子と第４端子形成部３４の制御用外部接続端子及び電源用外部接続端子を接合させる。【選択図】        図１
2004252177.tif 000002
【特許請求の範囲】
【請求項１】
基板上に設けられ、各々が電気光学素子を含む複数の画素回路と、前記複数の画素回路を動作させるための信号または駆動電圧を供給する複数の配線とが形成された電気光学装置であって、
前記複数の配線と前記基板の外部にある電子回路とを接続するための複数の外部接続端子部が前記基板上に設けられ、
前記複数の外部接続端子部は第１の外部端子部と第２の外部端子部と、を含み、
前記第１の外部端子部は、前記画素領域と前記基板の第１の辺との間に形成され、
前記第２の外部端子部は、前記画素領域と前記基板の第２の辺との間に形成され、
前前記第１の辺と前記第２の辺とは、前記基板の異なる辺であること、
を特徴とする電気光学装置。
【請求項２】
請求項１に記載の電気光学装置において、
前記複数の配線のうち、前記第１の外部端子部にある外部接続端子に接続されている配線は、前記複数の画素回路に前記データ信号を供給するためのデータ線であり、
前記第２の外部端子部にある外部接続端子に接続されている配線は、前記複数の画素回路の走査信号を送出する走査線駆動回路を制御する制御信号を供給するための制御用信号線と前記複数の画素回路に駆動電圧を供給するための電源線とから構成されていることを特徴とする電気光学装置。
【請求項３】
請求項１または２に記載の電気光学装置において、
前記第１の辺と前記第２の辺とは前記基板の相対向する辺であることを特徴とする電気光学装置。
【請求項４】
請求項１乃至３のいずれか一つに記載の電気光学装置において、
前記電気光学素子は、電流を供給することにより光学的効果を発現する電流駆動型電気光学素子であることを特徴とする電気光学装置。
【請求項５】
請求項４に記載の電気光学装置において、
前記電流駆動型電気光学素子は、ＥＬ素子であることを特徴とする電気光学装置。
【請求項６】
複数の電子素子を備えた電子装置に駆動信号または駆動電圧を前記電子装置に設けられた外部接続端子部を介して供給するための配線基板であって、前記駆動信号または前記駆動電圧を生成する電子回路と、
前記電子回路に接続された第１群の複数の配線に接続された第１の接続端子部と、
前記電子回路に接続された第２群の複数の配線に接続された第２の接続端子部と、を備え、
前記電子回路は少なくとも３辺により構成されるベース部に配置され、
前記第１の接続端子部は、前記少なくとも３辺のうちの第１の一辺と前記電子回路との間に形成され、
前記第２の接続端子部は、前記ベース部から延出した延長部の先端部に形成されていることを特徴とする配線基板。
【請求項７】
請求項６に記載の配線基板において、
前記延長部は、前記第１の辺の両側又は一側から延出されていることを特徴とする配線基板。
【請求項８】
請求項６又は７に記載の配線基板において、
前記第２群の複数の配線の配線幅は、前記第１群の複数の配線の配線幅より大きいことを特徴とする配線基板。
【請求項９】
基板上に複数の第１配線の外部接続端子が形成された電気光学装置と、複数の第２配線の接続端子が形成された配線基板とを有し、前記複数の第１配線の外部接続端子がそれぞれ対応する前記第２配線の接続端子と電気的に接続してなる表示モジュールにおいて、
前記電気光学装置の基板に形成した前記複数の第１配線の外部接続端子のうちの一部が、前記基板の一側辺に形成された他の複数の外部接続端子と異なる前記基板の辺に形成され、
前記配線基板に形成した前記複数の第２配線のうち一部が、前記基板の裏面を介して前記基板の異なる辺側まで延出形成された延長部を介して配線され、その延長部の先端部に形成された前記一部の複数の第２配線の接続端子が前記一部の第１配線の外部接続端子とそれぞれ電気的に接続され、
前記配線基板に形成した前記他の複数の第２配線の接続端子部が、前記他の複数の第１配線の外部接続端子とそれぞれ電気的に接続されていることを特徴とする表示モジュール。
【請求項１０】
請求項９に記載の表示モジュールにおいて、
前記一部の第１配線は、制御用信号線と電源線とからなり、
前記配線基板に形成した前記延長部に配線された第２配線は前記電気光学装置の基板に形成した複数の電気光学素子に駆動信号又は駆動電圧を供給するための電源線と前記複数の電気光学素子を選択するために使用される制御信号を供給するための制御用信号線であることを特徴とする表示モジュール。
【請求項１１】
請求項１乃至５のいずれか一つに記載の電気光学装置の前記第１の外部端子部及び前記第２の外部端子部を、それぞれ、請求項７乃至９のいずれか一つに記載の配線基板の前記第１の接続端子部及び前記接続端子部と接続することにより製造された表示モジュール。
【請求項１２】
請求項９乃至１１のいずれか一つに記載の表示モジュールを実装した電子機器。
【発明の詳細な説明】
【０００１】
【発明の属する技術分野】
本発明は、電気光学装置、配線基板及び表示モジュール及び電子機器に関するものである。
【０００２】
【従来の技術】
従来、液晶ディスプレイ装置や有機ＥＬディスプレイ装置等の電気光学装置は表示モジュールとして携帯電話、ＰＤＡ等の電子機器に搭載されている。表示モジュールは、電子機器の筐体にコンパクトに収容されることが、電子機器の小型化を図る上で要求されている。
【０００３】
一般に、表示モジュールは、基板上に複数の電気光学素子を配置した電気光学装置及び導電テープ（フレキシブル基板）を有している（例えば、特許文献１）。電気光学装置の基板の一側辺には、複数の外部接続端子が集約されて形成されている。そして、その基板の一側辺に導電テープを電気的に接続されることによって、その集約された各外部接続端子と導電テープに形成された対応する配線の接続端子部がそれぞれ電気的に接続されるようになっている。
【０００４】
【特許文献１】
特開２００２−１７５８７７号公報
【０００５】
【発明が解決しようとする課題】
ところで、例えば、有機ＥＬの表示モジュールにおいては、その電気光学装置の基板には、複数の走査線が形成されているとともに、これら走査線に対して直交するように複数のデータ線が形成されている。そして、各走査線とデータ線の交差部に対応した部分に有機ＥＬ素子を含む画素回路が形成されている。従って、基板において、複数のデータ線が並設された範囲が同基板における横方向の表示領域となり、複数の走査線が並設された範囲が同基板における縦方向の表示領域となる。
【０００６】
又、電気光学装置の基板には、前記画像表示領域の外に前記複数の走査線の中から一つを選択するための走査線駆動回路が形成されている。さらに、基板には、前記データ線と平行に形成された複数の電源線が形成され、その電源線と前記一側部に形成された電源線のための外部接続端子を結ぶ配線を前記画像表示領域の外に形成されている。従って、電気光学装置の基板は、画像表示領域以外の部分の面積が大きくなり、コンパクト化を図る上で問題となる。
【０００７】
また、複数の前記外部接続端子が基板の一側辺に集約して形成されているため、前記フレキシブル基板は、基板の一側辺に電気的に接続された状態では、幅広となり同様にコンパクト化を図る上で問題となる。
【０００８】
本発明は、上記問題点を解消するためになされたものであって、その目的はコンパクト化を図ることができる電気光学装置、配線基板及び表示モジュール及び電子機器を提供するにある。
【０００９】
【課題を解決するための手段】
本発明における電気光学装置は、基板上に設けられ、各々が電気光学素子を含む複数の画素回路と、前記複数の画素回路を動作させるための信号または駆動電圧を供給する複数の配線とが形成された電気光学装置であって、前記複数の配線と前記基板の外部にある電子回路とを接続するための複数の外部接続端子部が前記基板上に設けられ、前記複数の外部接続端子部は第１の外部端子部と第２の外部端子部と、を含み、前記第１の外部端子部は、前記画素領域と前記基板の第１の辺との間に形成され、前記第２の外部端子部は、前記画素領域と前記基板の第２の辺との間に形成され、前前記第１の辺と前記第２の辺とは、前記基板の異なる辺である。
【００１０】
これによれば、全ての外部接続端子部が電気光学装置の同じ辺に形成されていないことから、表示領域外から同じ辺に形成された外部接続端子部に引き回す配線を少なくすることができる。その結果、前記引き回しのための配線を表示領域外に形成する必要がない分、電気光学装置をコンパクトにすることができる。
【００１１】
この電気光学装置において、前記複数の配線のうち、前記第１の外部端子部にある外部接続端子に接続されている配線は、前記複数の画素回路に前記データ信号を供給するためのデータ線であり、前記第２の外部端子部にある外部接続端子に接続されている配線は、前記複数の画素回路の走査信号を送出する走査線駆動回路を制御する制御信号を供給するための制御用信号線と前記複数の画素回路に駆動電圧を供給するための電源線とから構成してもよい。
これによれば、引き回しのための制御用信号線及び電源線を表示領域外に形成する必要がない分、電気光学装置をコンパクトにすることができる。
【００１２】
この電気光学装置において、前記第１の辺と前記第２の辺とは前記基板の相対向する辺であってもよい。
【００１３】
これによれば、第２の外部端子部は、第１の外部端子部に対して基板を挟んで相対向する辺に形成したことから、第２の外部端子部の制御用信号線及び電源線を両側に形成される表示領域外を引き回すことはなくなる。
【００１４】
この電気光学装置おいて、電気光学素子は電流を供給することにより光学的効果を発現する電流駆動型電気光学素子でもよい。
これによれば、コンパクトな表示パネルの表示領域内に形成された電流駆動型電気光学素子の発光によって画像が表示される。
【００１５】
この電気光学装置において、電流駆動型電気光学素子はＥＬ素子でもよい。
これによれば、コンパクトな表示パネルの表示領域内に形成されたＥＬ素子の発光によって画像が表示される。
【００１６】
本発明における配線基板は、複数の電子素子を備えた電子装置に駆動信号または駆動電圧を前記電子装置に設けられた外部接続端子部を介して供給するための配線基板であって、前記駆動信号または前記駆動電圧を生成する電子回路と、前記電子回路に接続された第１群の複数の配線に接続された第１の接続端子部と、前記電子回路に接続された第２群の複数の配線に接続された第２の接続端子部と、を備え、前記電子回路は少なくとも３辺により構成されるベース部に配置され、前記第１の接続端子部は、前記少なくとも３辺のうちの第１の一辺と前記電子回路との間に形成され、前記第２の接続端子部は、前記ベース部から延出した延長部の先端部に形成されていてもよい。
【００１７】
これによれば、配線基板は、複数の配線の第１の接続端子部と第２の接続端子部が一つに集約されない。
【００１８】
この配線基板において、前記延長部は、前記第１の辺の両側又は一側から延出されていてもよい。
これによれば、延長部の先端部に形成されている第２の接続端子部は、他の配線の第１の接続端子部より前方に位置する。
【００１９】
この配線基板において、前記第２群の複数の配線の配線幅は、前記第１群の複数の配線の配線幅より大きくてもよい。
これによれば、配線幅の大きい配線の第２の接続端子部は他の配線の第１の接続端子部と異なる辺に形成される。その結果、電気光学装置はよりコンパクトになる。
【００２０】
本発明における表示モジュールは、基板上に複数の第１配線の外部接続端子が形成された電気光学装置と、複数の第２配線の接続端子が形成された配線基板とを有し、前記複数の第１配線の外部接続端子がそれぞれ対応する前記第２配線の接続端子と電気的に接続してなる表示モジュールにおいて、前記電気光学装置の基板に形成した前記複数の第１配線の外部接続端子のうちの一部が、前記基板の一側辺に形成された他の複数の外部接続端子と異なる前記基板の辺に形成され、前記配線基板に形成した前記複数の第２配線のうち一部が、前記基板の裏面を介して前記基板の異なる辺側まで延出形成された延長部を介して配線され、その延長部の先端部に形成された前記一部の複数の第２配線の接続端子が前記一部の第１配線の外部接続端子とそれぞれ電気的に接続され、前記配線基板に形成した前記他の複数の第２配線の接続端子部が、前記他の複数の第１配線の外部接続端子とそれぞれ電気的に接続されている。
【００２１】
これによれば、電気光学装置は、複数の第１配線の外部接続端子が一つに集約されない。そして、これに対応するように、前記配線基板に延長部を設けたことにより、その異なる辺に設けた各外部接続端子と配線基板の接続端子とを電気的に接続することができる。その結果、全ての外部接続端子が電気光学装置の同じ辺に形成する必要がないことから、表示領域外から同じ辺に形成された外部接続端子に引き回す配線をなくすことができ、前記引き回しのための配線を表示領域外に形成する必要がない分、電気光学装置をコンパクトにすることができる。
【００２２】
この表示モジュールにおいて、前記一部の第１配線は、制御用信号線と電源線とからなり、前記配線基板に形成した前記延長部に配線された第２配線は前記電気光学装置の基板に形成した複数の電気光学素子に駆動信号又は駆動電圧を供給するための電源線と前記複数の電気光学素子を選択するために使用される制御信号を供給するための制御用信号線でもよい。
これによれば、電気光学装置の制御用信号線及び電源線は、表示領域外を引き回す配線は不要になる。
【００２３】
本発明における表示モジュールは、上記電気光学装置の前記第１の外部端子部及び前記第２の外部端子部を、それぞれ、請求項７乃至９のいずれか一つに記載のフレキシブル基板の前記第１の接続端子部及び前記接続端子部と接続することにより製造されてもよい。
【００２４】
これによれば、電気光学装置をコンパクトにすることができ、表示モジュール全体の小型を図ることができる。
【００２５】
本発明における電子機器は、上記表示モジュールを実装した。
これによれば、コンパクトな電子機器を実現できる。
【００２６】
【発明の実施の形態】
（第１実施形態）
以下、本発明を具体化した第１実施形態を図１〜図３に従って説明する。図１は有機ＥＬ表示モジュールの斜視図、図２は有機ＥＬ表示モジュールの分解斜視図、図３は有機ＥＬ表示モジュールを構成するフレキシブル基板の加工方法を示す説明図である。
【００２７】
図１において、表示モジュールとしての有機ＥＬ表示モジュール１１は、電気光学装置としての有機ＥＬディスプレイ１２と配線基板としてのフレキシブル基板１３を有している。
【００２８】
有機ＥＬディスプレイ１２は、本実施形態ではトップエミッションのディスプレイであって、四角形状のガラス基板よりなるＴＦＴ基板２１を有している。図１に２点鎖線で示すように、画素形成領域を構成するＴＦＴ基板２１の表示領域２２は、列方向（図１において長手方向）に沿ってのびる複数のデータ線（図示せず）、行方向（図１において幅方向）に沿ってのびる複数の走査線（図示せず）及び列方向に沿ってのびる複数の電源線（図示せず）が形成されている。そして、複数のデータ線と複数の走査線との交差部に対応する各位置に電子装置としての画素回路が形成されている。つまり、各画素回路は、その列方向に沿ってのびる複数のデータ線と、行方向に沿ってのびる複数の走査線との間にそれぞれ接続されることにより、各画素回路はマトリクス状に配列されている。又、各画素回路は、その列方向に沿ってのびる複数の電源線とそれぞれ接続され、同電源線を介して駆動電圧が供給される。画素回路には電気光学素子、電流駆動型電気光学素子、ＥＬ素子又は電子素子としての有機ＥＬ素子を有し、その有機ＥＬ素子は駆動電流が供給されることによって発光する。又、各画素回路には有機ＥＬ素子を点灯制御するための薄膜トランジスタ（ＴＦＴ）や容量素子を有している。
【００２９】
尚、本実施形態の有機ＥＬ表示モジュール１１はカラー表示のモジュールで構成している。従って、ＴＦＴ基板２１に形成された画素回路には、赤色の光を発光する有機ＥＬ素子を有する赤用画素回路、緑色の光を発光する有機ＥＬ素子を有する緑用画素回路、青色の光を発光する有機ＥＬ素子を有する青用画素回路から構成されている。そして、それぞれ一つの赤用画素回路、緑用画素回路、青用画素回路とで構成される組が一画素を構成することになる。
【００３０】
これに伴って、前記電源線においても本実施形態では、前記各赤用画素回路ための赤用電源線、前記緑用画素回路のための緑用電源線、及び、前記各青用画素回路のための青用電源線が設けられている。そして、これら赤用電源線、緑用電源線及び青用電源線はそれぞれ所定の間隔をおいてと列方向に複数形成されている。
【００３１】
又、ＴＦＴ基板２１の行方向の一側（図１において左側）の表示領域２２の外には、図１で２点鎖線で示す走査線駆動回路２３が形成されていて、その走査線駆動回路２３から前記各走査線に対して走査線上に各画素回路を選択するための走査信号を出力するようになっている。走査線駆動回路２３は、後記するフレキシブル基板１３の配線を介して入力される制御信号に基づいて走査信号を所定の走査線に所定のタイミングで出力するようになっている。そのため、その制御信号を後記するフレキシブル基板１３の配線を介して入力される制御信号は、表示領域２２外のＴＦＴ基板２１に形成された図示しない制御用信号線を介して走査線駆動回路２３に入力される。
【００３２】
ＴＦＴ基板２１の列方向の下側の辺と前記表示領域２２との間には第１端子形成部２１ａが形成され、列方向の上側の辺と前記表示領域２２との間には第２端子形成部２１ｂが形成されている。第１端子形成部２１ａには、図２に示すように、前記各データ線とそれぞれ電気的に接続された外部接続端子部を構成する第１の外部端子部としての複数の外部接続端子２５がそれぞれ形成されている。各外部接続端子２５は第１端子形成部２１ａ上に等ピッチで形成されている。
【００３３】
一方、第２端子形成部２１ｂには、外部接続端子部を構成する第２の外部端子部としての複数の制御用外部接続端子２６と電源用外部接続端子２７とが形成されている。制御用外部接続端子２６は、前記走査線駆動回路２３と接続された前記制御用信号線と電気的に接続される。電源用外部接続端子２７は、前記制御用外部接続端子２６より内側に形成されている。電源用外部接続端子２７は、それぞれ赤用、緑用、青用外部接続端子からなる。赤用の電源用外部接続端子２７は、前記赤用電源線に電気的に接続されている。緑用の電源用外部接続端子２７は、前記緑用電源線に電気的に接続されている。青用の電源用外部接続端子２７は、前記青用電源線に電気的に接続されている。各色の電源用外部接続端子２７の線幅は、前記外部接続端子２５や制御用外部接続端子２６の配線幅より太く形成されている。
【００３４】
第１端子形成部２１ａ及び第２端子形成部２１ｂを除くＴＦＴ基板２１上には、透明の封止ガラス２８が張合わされている。従って、ＴＦＴ基板２１上に形成されたデータ線、走査線、電源線、制御用信号線、画素回路及び走査線駆動回路２３は、封止ガラス２８にて封止される。また、第１端子形成部２１ａに形成した外部接続端子２５、及び、第２端子形成部２１ｂに形成した制御用外部接続端子２６及び電源用外部接続端子２７は、ＴＦＴ基板２１から露出した状態となる。
【００３５】
前記フレキシブル基板１３は、ベースフィルムとカバーフィルムとの間に複数の配線が形成されたＦＰＣ（Ｆｌｅｘｉｂｌｅ  Ｐｒｉｎｔｅｄ  Ｃｉｒｃｕｉｔ；フレキシブルプリンテトサーキット）である。フレキシブル基板１３は、前記ＴＦＴ基板２１に形成した複数のデータ線にデータ信号を供給するためのデータ線駆動回路を内蔵した電子回路としての半導体チップ３１がベースフィルム側から実装されている。また、本実施形態では、半導体チップ３１は、前記有機ＥＬ素子を発光させるための駆動信号又は駆動電圧としての駆動電圧を生成するようになっている。フレキシブル基板１３はその一側（図１において左側）が内側に折り曲げられ、その内側に折り曲げられた側は、前記有機ＥＬディスプレイ１２の裏面を通って前記第２端子形成部２１ｂまで延びる延長部３２が形成されている。
【００３６】
前記フレキシブル基板１３の前記ＴＦＴ基板２１の第１端子形成部２１ａと相対向する先端部には、第３端子形成部３３が形成されている。第３端子形成部３３は、カバーフィルムを剥がして前記各データ線の外部接続端子２５と対応する第１群の複数の配線としての配線をそれぞれ一部露出させて第１の接続端子部を構成する複数の接続端子４３（図３参照）を形成している。そして、その一部露出した複数の接続端子４３はそれぞれ対応する前記外部接続端子２５と接合される。
【００３７】
又、前記延長部３２には、ベース部としてのフレキシブル基板１３本体から延びる前記制御用信号線及び電源線とそれぞれ対応する第２群の複数の配線としての図示しない配線が形成されている。その延長部３２の先端部は、折り返されて前記ＴＦＴ基板２１の第２端子形成部２１ｂと相対向配置させ、その対向配置した部分を第４端子形成部３４としている。第４端子形成部３４は、同じくカバーフィルムを剥がして前記制御用信号線、電源線の前記各外部接続端子２６，２７と対応する配線を一部露出させて第２の接続端子部を構成する複数の制御用接続端子４４及び電源用接続端子４５を形成している。そして、その一部露出した複数の制御用接続端子４４及び電源用接続端子４５はそれぞれ対応する前記制御用外部接続端子２６及び電源用外部接続端子２７と接合される。
【００３８】
有機ＥＬディスプレイ１２に接続される前のフレキシブル基板１３の加工方法を図３に従って説明する。先ず、図３（ａ）に示すように、帯状のフレキシブル基板１３の一側に延長部３２を延出形成して、第１端子形成部２１ａに対応する第３端子形成部３３と第２端子形成部２１ｂと対応する第４端子形成部３４を形成する。そして、第３端子形成部３３及び第４端子形成部３４の部分のカバーフィルム４１を剥がし、接続端子４３、制御用接続端子４４及び電源用接続端子４５を形成する。
【００３９】
続いて、延長部３２が形成された側を、図３（ｂ）に示すように、延長部３２の幅分だけ内側に折り曲げる。従って、この時点で、第３端子形成部３３の接続端子４３と第４端子形成部３４の制御用接続端子４４及び電源用接続端子４５は、互いに反対の面を向く。続いて、延長部３２の先端部を、図３（ｃ）に示すように、第３端子形成部３３側に折り返す。これによって、第３端子形成部３３の接続端子４３と第４端子形成部３４の制御用接続端子４４及び電源用接続端子４５が同じ面を向くと共に同一平面上となって、フレキシブル基板１３は完成する。
【００４０】
そして、接続端子４３は外部接続端子２５と、制御用接続端子４４は制御用外部接続端子２６と、電源用接続端子４５は電源用外部接続端子２７とそれぞれ接続させることにより、有機ＥＬ表示モジュール１１は完成する。
【００４１】
次に、上記のように構成した有機ＥＬ表示モジュール１１の特徴を以下に説明する。
（１）本実施形態によれば、有機ＥＬディスプレイ１２のＴＦＴ基板２１の一側の辺には、各データ線の外部接続端子２５を形成し、他側の辺には、制御用外部接続端子２６及び電源用外部接続端子２７を形成した。すなわち、前記制御用信号線及び前記電源線を制御用外部接続端子２６及び電源用外部接続端子２７まで引き回すための配線を有機ＥＬディスプレイ１２の表示領域外に形成することをなくした。
【００４２】
一方、フレキシブル基板１３は、前記外部接続端子２５が形成される第１端子形成部２１ａに対応する第３端子形成部３３を形成するとともに、延長部３２を形成しその延長部３２が有機ＥＬディスプレイ１２の裏面側から回り込みその延長部３２の先端部に形成した第４端子形成部３４を前記制御用外部接続端子２６及び電源用外部接続端子２７を形成した第２端子形成部２１ｂに対応させた。そして、第１端子形成部２１ａの外部接続端子２５と第３端子形成部３３の接続端子４３を接合させるとともに、第２端子形成部２１ｂの外部接続端子２６，２７と第４端子形成部３４の制御用外部接続端子２６及び電源用外部接続端子２７を接合させる。すなわち、各色の電源線に供給される電源及び制御用信号線を介して走査線駆動回路２３に供給される信号は、前記引き回すための配線を形成しなくても、延長部３２に形成された配線を介して供給されるようにした。
【００４３】
従って、有機ＥＬディスプレイ１２の表示領域２２外に、前記制御用信号線及び前記電源線を第１端子形成部２１ａまで引き回すための配線を形成しなくて済む分だけ、有機ＥＬディスプレイ１２を小さくでき、延いては有機ＥＬ表示モジュール１１をよりコンパクトにすることができる。
【００４４】
（２）本実施形態によれば、フレキシブル基板１３の一側に延長部３２を設け、その延長部３２が形成された側を、延長部３２の幅分だけ内側に折り曲げる。そして、延長部３２の先端部を折り返し、第４端子形成部３４の制御用外部接続端子２６及び電源用外部接続端子２７と第２端子形成部２１ｂの制御用外部接続端子２６及ぶ電源用外部接続端子２７と接合できるようにした。従って、簡単な折り曲げ加工で有機ＥＬディスプレイ１２に対応するフレキシブル基板１３を形成することができる。
【００４５】
（第２実施形態）
以下、本発明を具体化した第２実施形態を図４に従って説明する。図４は有機ＥＬ表示モジュールの分解斜視図である。
【００４６】
図４において、表示モジュールとしての有機ＥＬ表示モジュール５１は、電気光学装置としての有機ＥＬディスプレイ５２とフレキシブル基板５３を有している。
【００４７】
有機ＥＬディスプレイ５２は、本実施形態ではボトムエミッションのディスプレイであって、四角形状のガラス基板よりなるＴＦＴ基板６１を有している。ＴＦＴ基板６１の図４に２点鎖線で示す画素領域を構成する表示領域６２は、前記実施形態と同様に、複数のデータ線、複数の走査線、複数の電源線、複数の画素回路が形成されている。
【００４８】
又、前記実施形態と同様に、ＴＦＴ基板６１の一側（図４において左側）の表示領域６２の左側には、図４で２点鎖線で示す走査線駆動回路６３が形成されていて、その走査線駆動回路６３から前記各走査線に対して走査線上に各画素回路を選択するための走査信号を出力するようになっている。
【００４９】
ＴＦＴ基板６１の下側の辺と前記表示領域６２との間には第１端子形成部６１ａが形成され、上側の辺と前記表示領域６２との間には第２端子形成部６１ｂが形成されている。第１端子形成部６１ａには、前記各データ線とそれぞれ電気的に接続された図示しない外部接続端子部を構成する第１の外部端子部としての複数の外部接続端子がそれぞれ形成されている。各外部接続端子は第１端子形成部６１ａ上に等ピッチで形成されている。
【００５０】
一方、第２端子形成部６１ｂには、外部接続端子部を構成する第１の外部端子部としての複数の制御用外部接続端子（図示しない）と電源用外部接続端子（図示しない）とが形成されている。制御用外部接続端子は、前記走査線駆動回路６３と接続された制御用信号線と電気的に接続される。電源用外部接続端子は、前記制御用外部接続端子より内側に形成されている。電源用外部接続端子は、前記実施形態と同様にそれぞれ赤用、緑用、青用外部接続端子からなる。各色の電源用外部接続端子の配線幅は、前記外部接続端子や制御用外部接続端子の線幅より太く形成されている。
【００５１】
第１端子形成部６１ａ及び第２端子形成部６１ｂを除くＴＦＴ基板６１には、封止ガラス６４が張合わされている。従って、ＴＦＴ基板６１上に形成されたデータ線、走査線、電源線、制御用信号線、画素回路及び走査線駆動回路６３は、封止ガラス６４にて封止される。そして、第１端子形成部６１ａに形成した複数の外部接続端子、及び、第２端子形成部６１ｂに形成した複数の制御用外部接続端子及び電源用外部接続端子は、ＴＦＴ基板６１から露出した状態となる。
【００５２】
前記フレキシブル基板５３は、前記第１実施形態と同様に、ベースフィルムとカバーフィルムとの間に複数の配線が形成されたＦＰＣ（Ｆｌｅｘｉｂｌｅ  Ｐｒｉｎｔｅｄ  Ｃｉｒｃｕｉｔ）であって、前記ＴＦＴ基板６１に形成した複数のデータ線にデータ信号を供給するためのデータ線駆動回路を内蔵した電子回路としての半導体チップ７１が実装されている。フレキシブル基板５３はその一側が前記実施形態と同様に、内側に折り曲げられ、その内側に折り曲げられた側は、前記有機ＥＬディスプレイ５２の裏面を通って前記第２端子形成部６１ｂまで延びる延長部７２ａが形成されている。さらに、延長部７２ａの先端部の一側縁には、延出部７２ｂが延出形成されている。その延出部７２ｂは、前記第２端子形成部６１ｂと相対向するように折り曲げ形成されている。
【００５３】
前記フレキシブル基板５３の前記ＴＦＴ基板６１の第１端子形成部６１ａと相対向する先端部には、第３端子形成部７３が形成されている。第３端子形成部７３はカバーフィルムを剥がして、前記各データ線の外部接続端子と対応する第１群の配線としての配線を一部露出させて第１の接続端子部を構成する複数の接続端子７４を形成している。そして、その一部露出した各接続端子７４はそれぞれ対応する前記外部接続端子と接合される。
【００５４】
又、前記延長部７２ａ及び前記延出部７２ｂには、フレキシブル基板本体から延びる前記制御用信号線及び電源線とそれぞれ対応する第２群の配線としての配線が形成されている。前記ＴＦＴ基板６１の第２端子形成部６１ｂと相対向配置される前記延出部７２ｂには、第４端子形成部７５が形成されている。第４端子形成部７５は、同じくカバーフィルムを剥がして前記制御用信号線、電源線の制御用外部接続端子及び電源用外部接続端子と対応する前記配線を一部露出させて第２の接続端子部を構成する複数の制御用接続端子７６及ぶ電源用接続端子７７を形成している。そして、その複数の制御用接続端子７６及ぶ電源用接続端子７７はそれぞれ対応する前記外部接続端子と接合される。
【００５５】
本実施形態においても、前記第１実施形態と同様に、有機ＥＬディスプレイ５２を小型化でき、有機ＥＬ表示モジュール５１をよりコンパクトにすることができる。また、前記第１実施形態と同様に、簡単な折り曲げ加工で有機ＥＬディスプレイ５２に対応するフレキシブル基板５３を形成することができる。
【００５６】
（第３実施形態）
次に、第１及び第２実施形態で説明した有機ＥＬ表示モジュール１１，５１の電子機器への適用について図５に従って説明する。有機ＥＬ表示モジュール１１，５１は、モバイル型のパーソナルコンピュータ、携帯電話、デジタルカメラ等種々の電子機器に適用できる。
【００５７】
図５は、携帯電話の構成を示す斜視図を示す。図５において、携帯電話８０は、複数の操作ボタン８１、受話口８２、送話口８３、前記有機ＥＬ表示モジュール１１，５１を用いた表示ユニット８４を備えている。この場合でも、有機ＥＬ表示モジュール１１，５１を用いた表示ユニット８４は前記第１及び第２実施形態と同様な効果を発揮する。その結果、携帯電話８０は、コンパクトで携帯性の優れたものとなる。
【００５８】
尚、本発明の実施形態は、以下のように変更してもよい。
○前記第１実施形態の有機ＥＬ表示モジュール１１のフレキシブル基板１３は、一側から延長部３２を延出形成したが、図６に示すフレキシブル基板１３のように、両側から延長部３２を設けて実施してもよい。
【００５９】
○前記各実施形態の有機ＥＬ表示モジュール１１，５１のフレキシブル基板１３，５３は、ＦＰＣ（フレキシブルプリンテトサーキット）であったが、フレキシブルフラットケーブルに変更して実施してもよい。また、配線基板としては前記各実施形態ようにフレキシブルな配線基板が好ましいがフレキシブルでない配線基板に応用してもよい。
【００６０】
○前記実施形態では、カラー表示が行える有機ＥＬ表示モジュール１１，５１であったが、１色からなる有機ＥＬ表示モジュールに応用しても良い。
○前記実施形態では、電気光学装置として有機ＥＬディスプレイに具体化したが、液晶ディスプレイ等その他電気光学装置に具体化してもよい。
【図面の簡単な説明】
【図１】第１実施形態を説明するための表示モジュールの斜視図。
【図２】同じく表示モジュールの分解斜視図。
【図３】有機ＥＬディスプレイに接続されるフレキシブル基板の作り方を説明する説明図であって、（ａ）は折り曲げ加工前の状態を斜視図、（ｂ）はフレキシブル基板を長手方向に折り曲げ加工された状態を示す斜視図、（ｃ）はフレキシブル基板の延長部の先端部が折り曲げ加工に状態を示す斜視図。
【図４】第２実施形態の表示モジュールの分解斜視図。
【図５】第３実施形態の携帯電話の斜視図。
【図６】本発明のフレキシブル基板の別例を示す斜視図。
【符号の説明】
１１…表示モジュールとしての有機ＥＬ表示モジュール、１２…電気光学装置としての有機ＥＬディスプレイ、１３…配線基板としてのフレキシブル基板、２１…基板としてのＴＦＴ基板、２１ａ…第１端子形成部、２１ｂ…第２端子形成部、２５…外部接続端子、２６…制御用外部接続端子、２７…電源用外部接続端子、３２…延長部、３３…第３端子形成部、３４…第４端子形成部、４３…接続端子、４４…制御用接続端子、４５…電源用接続端子。
【図１】
2004252177.tif 000003
【図２】
2004252177.tif 000004
【図３】
2004252177.tif 000005
【図４】
2004252177.tif 000006
【図５】
2004252177.tif 000007
【図６】
2004252177.tif 000008